(57)【要約】容量性存在検出システムの使用のための装置が提供されている。その装置は、駐車ゲート（４）のアームのような物に接着されるテープの形式のセンサーを含んでいる。さらに、そのセンサー（４０）の取り付けに使用する空間が開示され、それはセンサーの視野を増加させる。テープはプラスチックフィルムの最上層と金属箔の中間層と接着材料を有するプラスチック最下層とを有するサンドイッチである。
2004512507.tif 000002
【特許請求の範囲】
【請求項１】
金属製物体と共に使用される容量性存在検出器の使用のための装置であって、前記検出器は可撓性伝導材料から成るセンサーを有し、前記装置は、可撓性非伝導材料から成る細長の本体部を備え、該本体部は前記物体に取り付くように設けられた取り付け面を有し、前記本体部は前記取り付け部分と反対側に遠位部分を有し、前記取り付け面から所定距離を隔てて前記センサーを支持していることを特徴とする装置。
【請求項２】
前記遠位部分は前記センサーを保持するため前記取り付け面にほぼ平行な軸に延出する孔を有している請求項１の装置。
【請求項３】
前記本体部は誘電材料から形成されている請求項１の装置。
【請求項４】
前記本体部は前記取り付け部分と前記遠位部分との間に延びる開口部を有している請求項１の装置。
【請求項５】
容量性存在検出器のためのセンサーを伝導性管状部材に接続するための方法であって、
前記管状部材を支持部分と遠位部分に分離するステップと、
非伝導性材料のスペーサーの一端部を前記遠位部分の一方の内孔に挿入するステップと、
前記遠位部分の端部と前記支持部分の端部とが所定距離間隔を置くように、前記プラグの他端部を前記支持部分に挿入するステップと、
前記管状器具の遠位部に前記センサーを接続するステップと、
を含んでいることを特徴とする方法。
【請求項６】
容量性存在検出システムの使用のためのセンサーであって、
前記センサーは、該センサーの周りの電磁場における伝導性材料の存在に応じて変化する周波数を有する波を生成する信号発生器に接続され、非伝導性の最下層と金属箔の中間層と可撓性の最上層とのサンドイッチから成る細長部材を備え、前記最下層は外面に接着剤を有していることを特徴とするセンサー。
【請求項７】
前記最下層はポリエステルから形成されている請求項６のセンサー。
【請求項８】
前記最上層はプラスチックフィルムから形成されている請求項６のセンサー。
【発明の詳細な説明】
【０００１】
【発明の属する技術分野】
本発明は容量性存在検出システムの使用のための検出装置に関する。
【０００２】
【従来の技術】
動作検出システムは駐車ゲートのような装置に対する人又は車両の存在を検出するものとして公知である。連続波の出力による振動からの信号の周波数の変化率を利用するシステムの一つのタイプは、Ｓｉｍｏｎに対する米国特許５，３３７，０３９号に開示されている。そのシステムは、容量性プレート又はセンサーに送られる予め設定された周波数範囲の波を作る発振器を利用している。そのセンサーは駐車ゲートのような装置に取り付けられている。そのセンサーはコンデンサーの一つのプレートとして機能する同軸ケーブルの形式をしている。そのケーブルはクリップによりゲートに取り付けられている。センサーが伝導物に近接すると、予め設定された信号の周波数が変化する。周波数の変化率が所定の割合を超えた場合、エラー信号が生成される。エラー信号は信号を発する制御装置に送られ、ゲートの動きを停止させる。ゲートが木製の場合、センサーはゲートの底部に取り付けられる。しかし、センサーが車庫の扉のような金属製物体に使用される場合、センサーは容量性の場、すなわち検出範囲を著しく減少させることなく金属に直接取り付けることはできない。
【０００３】
【発明が解決しようとする課題】
本発明の目的は、容易に設置可能な容量性存在検出システムの使用のための検出システムを提供することである。また、本発明の目的は、金属製の扉及びゲートのような伝導物に取り付けられた時に適切な検出視野を有するセンサーを提供することである。
【０００４】
【課題を解決するための手段】
本発明は、容量性存在検出システムの視野を向上させる容量性センサー及びスペーサーの改善に関する。駐車ゲートのような木製の支持層での使用に適した一実施例では、センサーはマイラー（登録商標）フィルムと金属箔と片側に接着剤を有する可撓性スペーサーとのサンドイッチにより形成される可撓性テープである。テープはセンサーとしての使用のため駐車ゲートの最下部に直接取り付けられてもよい。また、管状の金属製アームに使用される非伝導性スリーブ部材が開示されており、これはセンサーをアームの遠位部に直接取り付け可能とする。別の実施例では、センサーはスペーサーと共に物体に取り付けられる。スペーサーは、低誘電率の本体部を有し、車庫の扉のような伝導材料からセンサーを所定距離離している。
【０００５】
本発明の他の特徴及び利点は、関連技術の当業者にとって、添付図面に関連させて以下の説明を読むことにより明らかになるだろう。
【０００６】
【発明の実施の形態】
図１及び２に示されているように、改善された動作検出センサー１０は駐車ゲート４のアーム１２での使用のため可撓性テープの形式をしている。センサーは、木製駐車ゲート、窓枠、木製扉、又は地面から絶縁された金属面等のような非伝導性表面において、容量性存在検出システム１６と関連付けて使用可能である。図１に示されているように、テープは非伝導性のマイヤー（登録商標）フィルムの最上層１８と銅箔のような金属の中間層２０と可撓性の非伝導性ポリエステル材料２２の最下層とのサンドイッチとして形成されている。接着材料２４はポリエステル材料の最下面に塗られ、それが使用される構造面にセンサーを直接容易に設置させることができる。センサー１０は同軸ケーブル２０により存在検出システム１６の制御装置に接続されている。金属箔は制御装置からセンサーに振動信号を送る同軸ケーブルの中心ワイヤに電気的に接続されている。
【０００７】
図２に示されているように、センサー１０は金属のような伝導性材料から成るアームにおいて使用される時がある。絶縁スリーブ２８はアームの遠位部分を地面から電気的に絶縁するために使用される。センサーは管状アーム１２の遠位部分３０に接着される。スリーブ２８は、硬質又は強化繊維、強化プラスチック、木、又はナイロンから形成されている。スリーブ２８はゲートアームの内寸法に一致するように形成された一対の端部３２を有している。図３に示されているように、ゲートアーム１２はリフト機構３４の近くの端部で切断されている。スリーブ２８はアームの各端部３６，３８の開口部に挿入されている。ゲートの端部３６，３８はスリーブ２８に摩擦によって固定されているが、一定距離離れており、ゲートの遠位部３０を電気的に絶縁している。センサー１０はゲートアームの遠位部３０に付着している。
【０００８】
図４に示されているように、新しいセンサー支持部４０は金属製の車庫の扉４２のような伝導構造での使用のために示されている。容量性センサー４４は、空気、一定の合成材料、すなわち、ポリプロピレン、ポリスチレンフォーム等のような低誘電率を有する材料により、伝導材料から分離されている場合がある。センサー４４は広範な視野を与えられ、それによりシステムが存在を検出可能な距離を延長する。センサ支持部４２はポリプロピレンのような合成物の押し出し成形により形成された本体部を有し、また、取り付け部分４８と端部５０との間に延びるアーム４６を有している。取り付け部分４８は縦方向に延び、車庫の扉４２に接触可能な表面５２を有している。プラスチックねじ又は留め金具５６はセンサー支持部４０を扉４２に取り付けるのに使用される。アーム４６はＬ形状を成し、下方に延出し、扉の底部と同軸の端部で管状部分５８を支持するように湾曲している。管状部分５８は端部４８を通って延びる円孔６０を有し、同軸ケーブルのようにセンサー４４を設置可能にする。スリット６２が管内に形成されてもよく、孔６０の下でのケーブルの設置を容易にさせる。このように、センサー４４は、所定距離、例えば、車庫の扉４２の下方２インチの位置に吊るされ、低誘電体、すなわち空気を有する材料により扉から隔離されている。アーム４６は可撓性であり、扉が閉鎖し、床又は扉枠に接触している時に、端部の交換を可能にする。
【０００９】
図５に示されているように、センサー支持部６２の別の実施例は、ハンガー６４及びインサート６６から形成されている。ハンガー６４及びインサート６６はポリプロピレンのような低誘電体の押し出し成形されたプラスチック材料から形成されている。ハンガーは開口部６８を有するＣ型チャンネルの形状を成し、縦方向に延びている。開口部７０は留め金具によりハンガーを扉４２に取り付け可能なように設けられている。インサートは上部７２と一対の側部７４と最下部７６とを有している。各側部７４は最上部７２から下方に一定距離を隔てた溝７８を有し、ハンガー６４の開口部６８の内寸法と相補的な一対のフランジ８０を形成している。最下部７６は中心に向かって内方に先細にされ、中心に延びる円筒形状の穴８２を有し、その穴は最下部に沿って軸方向に延びる切込み部８４を有し、センサー又は同軸ケーブル４４の穴８２への挿入を容易にさせる。センサー４４は切込み部８４を介して穴に押し込まれ、切込み部の一方側に形成された一対のフランジ８６により維持される。矩形の開口部８６は最上部と最下部の間に形成されてもよく、インサートを通って縦方向に延び、インサートの変形を許容すると共にそこに空気が入ることを許容する。代わりに、使用される材料が非常に低い誘電率を有している場合にはインサートは硬質であってもよい。
【００１０】
特許請求の範囲に記載された発明の精神及び範囲から逸脱することなく、非常に多数の代用及び変更が可能である。
【図面の簡単な説明】
【図１】
容量性存在検出システムの使用のためのセンサーの分解斜視図である。
【図２】
本発明の別の実施例による非伝導性スリーブを有する金属製駐車ゲートの側面図である。
【図３】
本発明によるゲートアーム及びスペーサーの分解図である。
【図４】
本発明による車庫の扉の使用のために示されたセンサーのスペーサーの斜視図である。
【図５】
本発明によるセンサーのために示されたスペーサーの別の実施例である。
【国際公開パンフレット】
2004512507.tif 000003
2004512507.tif 000004
2004512507.tif 000005
2004512507.tif 000006
2004512507.tif 000007
2004512507.tif 000008
2004512507.tif 000009
2004512507.tif 000010
2004512507.tif 000011
2004512507.tif 000012
【国際調査報告】
2004512507.tif 000013